(57)【特許請求の範囲】
【請求項１】
表示パネルと、
前記表示パネルの下部に配置されるバックライトアセンブリと、
前記表示パネルの側面上に配置される第１サポート部と、
前記第１サポート部の内側から延長され、前記バックライトアセンブリの側面上に配置される第２サポート部を含み、
前記バックライトアセンブリは、
前記表示パネルの下部に配置される光学シートと、
前記光学シートの下部に配置される導光板と
を含み、
前記光学シート及び前記導光板の厚さの和は前記第２サポート部の厚さと同一であり、
前記第１及び第２サポート部は、金属でなり、
前記第２サポート部の上面は平面であり、
前記第１サポート部は、前記表示パネルの隅を露出して配置される
表示装置。
【請求項２】
前記表示パネルは、前記第２サポート部上に配置される、前記表示パネル及び前記第２サポート部の間に介在する接着部材を含む請求項１に記載の表示装置。
【請求項３】
前記接着部材は前記表示パネル、前記第２サポート部及び前記バックライトアセンブリに接着される請求項２に記載の表示装置。
【請求項４】
前記第２サポート部は閉ループ状である請求項１に記載の表示装置。
【請求項５】
前記バックライトアセンブリは、
前記導光板の側面上に配置される光源及び前記導光板の下部に配置される反射シートをさらに含む請求項１に記載の表示装置。
【請求項６】
前記第２サポート部は前記光源を収納する溝を含む請求項５に記載の表示装置。
【請求項７】
前記反射シートは前記第２サポート部の下部に付着される請求項５に記載の表示装置。
【請求項８】
前記第１サポート部の外側に延長される第３サポート部を含む請求項１に記載の表示装置。
【請求項９】
前記第３サポート部上に配置される入力装置を含む請求項８に記載の表示装置。
【請求項１０】
前記第３サポート部上に配置される保護窓(protective window)を含む請求項８に記載の表示装置。
【請求項１１】
前記第１サポート部と、前記第２サポート部及び前記第３サポート部は一体に形成され、かつ金属を含む請求項８に記載の表示装置。
【請求項１２】
表示パネルと、
前記表示パネルの下部に配置されるバックライトアセンブリと、
前記表示パネルの側面に配置される第１サポート部と、
前記第１サポート部の内側から延長され、前記バックライトアセンブリの側面上に配置される第２サポート部と、
前記第１サポート部から折曲または湾曲されて外側に延長される第３サポート部を含み、
前記バックライトアセンブリは、
前記表示パネルの下部に配置される光学シートと、
前記光学シートの下部に配置される導光板と
を含み、
前記光学シート及び前記導光板の厚さの和は前記第２サポート部の厚さと同一であり、
前記第１及び第２サポート部は、金属でなり、
前記第２サポート部の上面は平面であり、
前記第１サポート部は、前記表示パネルの隅を露出して配置される
表示装置。
【請求項１３】
前記第１サポート部と、前記第２サポート部及び前記第３サポート部は一体に形成される請求項１２に記載の表示装置。
【請求項１４】
前記第３サポート部の上面は前記表示パネルの上面より高い請求項１２に記載の表示装置。
【発明の詳細な説明】
【技術分野】
【０００１】
本発明は表示装置に関するものである。
【背景技術】
【０００２】
情報処理技術の発達に伴い、ＬＣＤ、ＰＤＰ及びＡＭＯＬＥＤなどの平板表示装置が広く用いられている。映像を表示するために、このような平板表示装置に所定の周波数を持つ電気的な信号を印加することができる。
【０００３】
携帯用に用いられる平板表示装置は、よりスリム、かつ小型でなけらばならない。また、このような平板表示装置は、より向上された強度が求められている。
【発明の概要】
【発明が解決しようとする課題】
【０００４】
本発明はよりスリム、かつ小型でありながら、かつ向上された強度を有する表示装置を提供することを課題とする。
【課題を解決するための手段】
【０００５】
本発明による表示装置は、表示パネルと、前記表示パネルの下部に配置されるバックライトアセンブリと、前記表示パネルの側面上に配置される第１サポート部と、及び前記第１サポート部の内側から延長され、前記バックライトアセンブリの側面上に配置される第２サポート部を含み、前記バックライトアセンブリは、前記表示パネルの下部に配置される光学シートと、前記光学シートの下部に配置される導光板とを含み、前記光学シート及び前記導光板の厚さの和は前記第２サポート部の厚さと同一であり、前記第１及び第２サポート部は、金属でなり、前記第２サポート部の上面は平面であり、前記第１サポート部は、前記表示パネルの隅を露出して配置される。
また、本発明による表示装置は、表示パネルと、前記表示パネルの下部に配置されるバックライトアセンブリと、前記表示パネルの側面に配置される第１サポート部と、前記第１サポート部の内側から延長され、前記バックライトアセンブリの側面上に配置される第２サポート部と、前記第１サポート部から折曲または湾曲されて外側に延長される第３サポート部を含み、前記バックライトアセンブリは、前記表示パネルの下部に配置される光学シートと、前記光学シートの下部に配置される導光板とを含み、前記光学シート及び前記導光板の厚さの和は前記第２サポート部の厚さと同一であり、前記第１及び第２サポート部は、金属でなり、前記第２サポート部の上面は平面であり、前記第１サポート部は、前記表示パネルの隅を露出して配置される。
【発明の効果】
【０００８】
本発明による表示装置は、第１サポート部及び第２サポート部によってよりスリム、かつ小型になり、強度が向上される。
【０００９】
特に、本発明による表示装置は第１サポート部及び第２サポート部が金属からなる場合、より向上された強度を有し、よりスリム、かつ小型になる。
【図面の簡単な説明】
【００１０】
【図１】本発明の第１実施例による液晶表示装置の分解斜視図である。
【図２】本発明の第１実施例による液晶表示装置の断面図である。
【図３】本発明の第２実施例による液晶表示装置のフレームの斜視図である。
【図４】本発明の第２実施例による液晶表示装置の断面図である。
【発明を実施するための形態】
【００１１】
本発明の説明に当り、各パネル、構造物、部、シート、プレートまたはフレームなどが各パネル、構造物、部、シート、プレートまたはフレームなどの「上（on）」または「下部（under）」に形成されることと記載される場合、「上（on）」と「下部（under）」は「直接（directly）」または「他の構成要素を介在して（indirectly）」形成されることを皆含む。また、各構成要素の上または下部に対する基準は、図面を基準として説明する。
【００１２】
図１は本発明の第１実施例による液晶表示装置の分解斜視図であり、図２は本発明の第１実施例による液晶表示装置の断面図である。
【００１３】
図１及び図２に示しているように、液晶表示装置はフレーム１００、バックライトアセンブリ２００及び液晶パネル３００を含む。
【００１４】
前記フレーム１００は前記バックライトアセンブリ２００及び前記液晶パネル３００を収容する。前記フレーム１００は金属から形成される。前記フレーム１００に用いることができる物質の例としては、アルミニウム、銅、亜鉛及びこれの合金などを挙げることができる。前記フレーム１００は第１サポート部１１０及び第２サポート部１２０を含む。
【００１５】
前記第１サポート部１１０は前記液晶パネル３００の側面上に配置される。前記第１サポート部１１０は前記液晶パネル３００の側面を支持する。例えば、前記第１サポート部１１０は相互離隔された多数個の側壁である。ここで、前記多数個の側壁は相互離隔される。
【００１６】
ここで、前記第１サポート部１１０は前記液晶パネル３００の各隅を露出しつつ配置される。
【００１７】
また、前記第１サポート部１１０は平面視で、四角い額縁の形状を有する。例えば、前記第１サポート部１１０の高さは前記液晶パネル３００の厚さより大きく形成することができる。
【００１８】
前記第２サポート部１２０は前記第１サポート部１１０の内側面から延長される。具体的に、前記第２サポート部１２０は前記第１サポート部１１０の内側面の下部から延長される。
【００１９】
例えば、前記第２サポート部１２０は前記第１サポートから折曲または湾曲されて内側に延長される。
【００２０】
また、前記第２サポート部１２０は平面視で、閉ループ形状をゆうする。よって、前記第２サポート部１２０は、内側に前記バックライトアセンブリ２００中少なくとも一部を収容することができる収納部１４０が形成される。
【００２１】
前記バックライトアセンブリ２００は光を発生させて、前記液晶パネル３００へ光を射出する。前記バックライトアセンブリ２００は前記収納部１４０及び前記第２サポート部１２０の内側に配置される。前記バックライトアセンブリ２００は反射シート２１０、導光板２２０、発光ダイオード２３０及び光学シート２４０を含む。
【００２２】
前記反射シート２１０は前記フレーム１００の下部に配置される。例えば、前記反射シート２１０は前記第２サポート部１２０の下部面に、両面テープなどを介在して付着される。前記反射シート２１０は前記発光ダイオード２３０によって発生される光を上方に反射させる。
【００２３】
前記導光板２２０は前記反射シート２１０上に配置され、前記収納部１４０の内側に配置される。前記導光板２２０は前記発光ダイオード２３０から射出される光を、散乱、屈折及び反射などによって前記液晶パネル３００へ射出する。
【００２４】
前記発光ダイオード２３０は導光板２２０の側面上に配置される。前記発光ダイオード２３０は前記第２サポート部１２０に形成された収納溝１５０の内側に配置される。前記発光ダイオード２３０はフレキシブル回路基板２３１に実装され、前記導光板２２０へ光を射出する。
【００２５】
前記光学シート２４０は前記導光板２２０上に配置される。また、前記光学シート２４０は前記収納部１４０の内側に配置される。前記光学シート２４０は通過する光の特性を向上させる。
【００２６】
前記光学シート２４０は多数個からなることができ、例えば、偏光シート、拡散シート及びプリズムシート中少なくとも１つを含む。
【００２７】
前記第２サポート部１２０の厚さＨ２は前記導光板２２０の厚さ及び前記光学シート２４０の厚さの和Ｈ１に対応する。即ち、前記第２サポート部１２０の厚さＨ２は前記導光板２２０の厚さ及び前記光学シート２４０の厚さの和Ｈ１と実質的に同一である。
【００２８】
例えば、前記フレーム１００は、前記導光板２２０の厚さ及び前記光学シート２４０の厚さの和Ｈ１と実質的に同一厚さを有する金属プレートが、切断及び折曲されて形成される。
【００２９】
前記液晶パネル３００は前記フレーム１００の内側に配置される。具体的に、前記液晶パネル３００は前記第１サポート部１１０の内側に配置される。また、前記液晶パネル３００は前記第２サポート部１２０上に配置され、前記第２サポート部１２０によって支持される。
【００３０】
この際、前記液晶パネル３００の側面と前記第１サポート部１１０は接触するようにすることができる。または、前記液晶パネル３００及び前記第１サポート部１１０の間に弾力材が介在させることができる。前記弾力材は外部から前記第１サポート部１１０に印加される衝撃を吸収する。
【００３１】
前記液晶パネル３００は通過する光の強度を、映像を表示する単位のピクセル毎に調節する。前記液晶パネル３００はＴＦＴ基板、カラーフィルタ基板及び前記２つの基板の間に介在する液晶層を含む。
【００３２】
前記液晶パネル３００は接着部材３２０によって前記第２サポート部１２０及び前記光学シート２４０に付着される。即ち、前記接着部材３２０の下部面は前記光学シート２４０と前記第２サポート部１２０に接着され、前記接着部材３２０の上面は前記液晶パネル３００に接着される。前記接着部材３２０は両面テープからなることができる。
【００３３】
また、前記接着部材３２０は遮光テープからなることができる。即ち、前記接着部材３２０は前記第１サポート部１１０及び前記液晶パネル３００の間から漏れる光を遮断することができる。
【００３４】
また、前記液晶パネル３００上には前記液晶パネル３００を駆動するドライバＩＣ３１０が実装されている。
【００３５】
前記フレーム１００は金属から形成されるため、前記フレーム１００はプラスチックから形成されるフレーム１００より堅固である。
【００３６】
また、モールドフレームなどの別途の部材を用いることなく、前記液晶パネル３００及び前記バックライトアセンブリ２００を支持することができるので、本発明による液晶表示装置はよりスリム、かつ小型である。
【００３７】
前記導光板２２０の厚さ及び前記光学シート２４０の厚さの和Ｈ１は前記第２サポート部１２０の厚さＨ２と実質的に同一であるため、前記反射シート２１０及び前記導光板２２０の間のギャップを減らすことができる。よって、本発明による液晶表示装置はよりスリムである。
【００３８】
また、前記光学シート２４０の上面と前記第２サポート部１２０の上面が実質的に同一平面上に位置する。よって、前記接着部材３２０は前記光学シート２４０及び前記第２サポート部１２０に、より強力に接着される。よって、本発明による液晶表示装置はより堅固である。
【００３９】
図３は本発明の第２実施例による液晶表示装置のフレームの斜視図であり、図４は本発明の第２実施例による液晶表示装置の断面図である。第２実施例では上述された第１実施例を参照に、第３サポート部及びタッチパネルに対して追加説明する。
【００４０】
図３及び図４に示しているように、フレーム１００は第３サポート部１３０を含む。前記第３サポート部１３０は前記第１サポート部１１０の外側面の上部から延長される。即ち、前記第３サポート部１３０は前記第１サポート部１１０から折曲または湾曲されて外側に延長される。
【００４１】
前記第３サポート部１３０は前記第２サポート部１２０より高い位置に配置される。また、前記第３サポート部１３０は前記第１サポート部１１０を基準として前記第２サポート部１２０とは反対方向に延長される。
【００４２】
また、前記第１サポート部１１０、前記第２サポート部１２０及び前記第３サポート部１３０は一体、かつ金属から形成される。前記第３サポート部１３０の上面は前記液晶パネル３００の上面より高い。
【００４３】
前記タッチパネル４００は前記液晶パネル３００上に配置され、前記液晶パネル３００を覆う。前記タッチパネル４００は前記第３サポート部１３０上に配置され、前記第３サポート部１３０によって支持される。また、前記タッチパネル４００は前記第３サポート部１３０に両面テープなどによって付着される。
【００４４】
前記タッチパネル４００はタッチなどの信号を電気的な信号に変換する。前記電気的な信号は液晶表示装置を駆動するためのシステムなどに印加される。即ち、前記タッチパネル４００によって、前記液晶表示装置に信号が入力される。
【００４５】
前記タッチパネル４００及び前記液晶パネル３００の間にはギャップが形成される。よって、外部から前記液晶パネル３００に加わる衝撃は減少され、本発明による液晶表示装置はより向上された強度を有する。
【００４６】
また、前記タッチパネル４００を代って、保護窓を前記第３サポート部１３０上に配置することができる。前記保護窓は前記液晶パネル３００等を外部の衝撃から保護する。前記保護窓に用いることができる物質の例としてはプラスチック、ガラスまたは強化ガラスなどを挙げることができる。
【００４７】
また、前記保護窓及び前記液晶パネル３００の間にはギャップが形成されることで、前記保護窓に印加される衝撃は、前記液晶パネル３００に直接印加されない。よって、本発明による液晶表示装置はより堅固である。
【００４８】
以上、本発明を、実施例を中心に説明したが、これは単に例示であり、本発明を限定するものではない。本発明が属する分野において通常の知識を有する者であれば、本発明の本質的な特性を脱しない範囲内で、以上に例示されていない多様な変形と応用が可能であることは自明である。また、本発明の実施例において、具体的に示された各構成要素は変形して実施することができるものである。そして、このような変形と応用に係る差異は、添付された請求範囲にて規定する本発明の範囲に含まれるものと解釈されるべきである。
【符号の説明】
【００４９】
１００  フレーム
１１０  第１サポート部
１２０  第２サポート部
１３０  第３サポート部
１４０  収納部
１５０  収納溝
２００  バックライトアセンブリ
２１０  反射シート
２２０  導光板
２３０  発光ダイオード
２３１  フレキシブル回路基板
２４０  光学シート
３００  液晶パネル
３２０  接着部材
４００  タッチパネル
【産業上の利用可能性】
【００５０】
本発明は映像を表示するものに用いることができる。
【図１】
0005432729.tif 000002
【図２】
0005432729.tif 000003
【図３】
0005432729.tif 000004
【図４】
0005432729.tif 000005